(57)【要約】【課題】歯に与える負担を検出することができる口腔内情報検出装置、口腔内情報提供システム、情報提供装置、コンピュータプログラム及び口腔内情報提供方法を提供する。【解決手段】口腔内情報検出装置は、上顎歯及び下顎歯によって噛み合わされる咬合部を有する口腔内装着部と、口腔内装着部に設けられた圧電素子と、圧電素子が検出した検出データを外部に送信する送信部とを備える。【選択図】図２
2020199164.tif 000002
【特許請求の範囲】
【請求項１】
上顎歯及び下顎歯によって噛み合わされる咬合部を有する口腔内装着部と、
前記口腔内装着部に設けられた圧電素子と、
前記圧電素子が検出した検出データを外部に送信する送信部と
を備える口腔内情報検出装置。
【請求項２】
前記咬合部は、
歯列に沿って略Ｕ字状に形成してあり、
前記圧電素子は、
歯列に沿って連続して前記咬合部に設けられている請求項１に記載の口腔内情報検出装置。
【請求項３】
前記口腔内装着部は、
複数の上顎歯又は複数の下顎歯を挟み込み、前記咬合部から延設された延設部を有し、
前記圧電素子は、
歯列に沿って連続して前記延設部に設けられている請求項２に記載の口腔内情報検出装置。
【請求項４】
前記咬合部は、
歯列に沿って略Ｕ字状に形成してあり、
前記圧電素子は、
歯列に沿って複数離隔して前記咬合部に設けられている請求項１に記載の口腔内情報検出装置。
【請求項５】
前記口腔内装着部は、
複数の上顎歯又は複数の下顎歯を挟み込み、前記咬合部から延設された延設部を有し、
前記圧電素子は、
歯列に沿って複数離隔して前記延設部に設けられている請求項４に記載の口腔内情報検出装置。
【請求項６】
前記圧電素子は、
所定の１又は複数の歯に対応する位置に設けられている請求項４又は請求項５に記載の口腔内情報検出装置。
【請求項７】
前記口腔内装着部は、
略Ｕ字状に形成された棒体を備え、
前記圧電素子は、
前記棒体の両端それぞれに固定された前記咬合部の少なくとも一方に設けられている請求項１に記載の口腔内情報検出装置。
【請求項８】
１若しくは複数の上顎歯又は１若しくは複数の下顎歯を挟み込み、前記咬合部それぞれから延設された延設部を有し、
前記圧電素子は、
前記延設部の少なくとも一方に設けられている請求項７に記載の口腔内情報検出装置。
【請求項９】
請求項１から請求項８のいずれか一項に記載の口腔内情報検出装置と、前記口腔内情報検出装置が送信する検出データに基づいて口腔内情報を提供する情報提供装置とを備える口腔内情報提供システム。
【請求項１０】
前記情報提供装置は、
歯に対する負担指標を含む口腔内情報を提供する請求項９に記載の口腔内情報提供システム。
【請求項１１】
前記情報提供装置は、
前記検出データに基づく圧力データを単位時間に亘って積算して歯に対する負担指標を算出する算出部を備える請求項９又は請求項１０に記載の口腔内情報提供システム。
【請求項１２】
前記情報提供装置は、
所要期間に亘る歯に対する負担指標の推移を示す推移情報を提供する請求項９から請求項１１のいずれか一項に記載の口腔内情報提供システム。
【請求項１３】
前記情報提供装置は、
危険レベル及び安全レベルの少なくとも一方の基準と対比させて前記推移情報を提供する請求項１２に記載の口腔内情報提供システム。
【請求項１４】
前記情報提供装置は、
年齢又は性別を含む属性に対応させて予め定めた基準と対比させて歯に対する負担指標を提供する請求項９から請求項１３のいずれか一項に記載の口腔内情報提供システム。
【請求項１５】
口腔内情報検出装置の口腔内装着部に設けられた圧電素子が検出した検出データを取得する取得部と、
前記取得部で取得した検出データに基づく圧力データを単位時間に亘って積算して歯に対する負担指標を算出する算出部と、
前記算出部で算出した負担指標を含む口腔内情報を提供する提供部と
を備える情報提供装置。
【請求項１６】
コンピュータに、
口腔内情報検出装置の口腔内装着部に設けられた圧電素子が検出した検出データを取得する処理と、
取得した検出データに基づく圧力データを単位時間に亘って積算して歯に対する負担指標を算出する処理と、
算出した負担指標を含む口腔内情報を提供する処理と
を実行させるコンピュータプログラム。
【請求項１７】
口腔内情報検出装置の口腔内装着部に設けられた圧電素子が検出した検出データを取得し、
取得された検出データに基づく圧力データを単位時間に亘って積算して歯に対する負担指標を算出し、
算出された負担指標を含む口腔内情報を提供する口腔内情報提供方法。
【発明の詳細な説明】
【技術分野】
【０００１】
本発明は、口腔内情報検出装置、口腔内情報提供システム、情報提供装置、コンピュータプログラム及び口腔内情報提供方法に関する。
【背景技術】
【０００２】
近年、ますます激しくなる競争社会、管理社会の中で現代人の多くがストレスを抱えるストレス社会が顕著化し、ストレスによる様々な症状が見受けられる。例えば、多くの人が睡眠中にする歯ぎしりは、ストレスに起因していると言われている。歯ぎしりは、歯のすり減りなどの歯に与えるダメージだけでなく、知覚過敏などの悪影響を及ぼし、健康を維持していく上でも重要な関心事である。
【０００３】
特許文献１には、睡眠者の頭部を支える枕の内部に設けられた感圧チューブによって頭部から発生する振動を検出して睡眠者の歯ぎしりの有無を判定する歯ぎしり検知装置が開示されている。
【先行技術文献】
【特許文献】
【０００４】
【特許文献１】特開２０１６−１０１３４９号公報
【発明の概要】
【発明が解決しようとする課題】
【０００５】
しかし、特許文献１の検知装置では、頭部から発生する振動を検出するので、歯ぎしりをしていなくても睡眠中に無意識に頭部を動かした場合には、歯ぎしりがあったと誤判定するおそれがある。また、歯ぎしりと同様に、歯に悪影響を与える食いしばり（歯を食いしばっている状態）が発生しても、頭部からの振動が検出されないおそれがあり、歯に与える負担を精度良く検出することができない。
【０００６】
本発明は、斯かる事情に鑑みてなされたものであり、歯に与える負担を検出することができる口腔内情報検出装置、口腔内情報提供システム、情報提供装置、コンピュータプログラム及び口腔内情報提供方法を提供することを目的とする。
【課題を解決するための手段】
【０００７】
本発明の実施の形態に係る口腔内情報検出装置は、上顎歯及び下顎歯によって噛み合わされる咬合部を有する口腔内装着部と、前記口腔内装着部に設けられた圧電素子と、前記圧電素子が検出した検出データを外部に送信する送信部とを備える。
【０００８】
本発明の実施の形態に係る口腔内情報提供システムは、前述の口腔内情報検出装置と、前記口腔内情報検出装置が送信する検出データに基づいて口腔内情報を提供する情報提供装置とを備える。
【０００９】
本発明の実施の形態に係る情報提供装置は、口腔内情報検出装置の口腔内装着部に設けられた圧電素子が検出した検出データを取得する取得部と、前記取得部で取得した検出データに基づく圧力データを単位時間に亘って積算して歯に対する負担指標を算出する算出部と、前記算出部で算出した負担指標を含む口腔内情報を提供する提供部とを備える。
【００１０】
本発明の実施の形態に係るコンピュータプログラムは、コンピュータに、口腔内情報検出装置の口腔内装着部に設けられた圧電素子が検出した検出データを取得する処理と、取得した検出データに基づく圧力データを単位時間に亘って積算して歯に対する負担指標を算出する処理と、算出した負担指標を含む口腔内情報を提供する処理とを実行させる。
【００１１】
本発明の実施の形態に係る口腔内情報提供方法は、口腔内情報検出装置の口腔内装着部に設けられた圧電素子が検出した検出データを取得し、取得された検出データに基づく圧力データを単位時間に亘って積算して歯に対する負担指標を算出し、算出された負担指標を含む口腔内情報を提供する。
【発明の効果】
【００１２】
本発明によれば、歯に与える負担を検出することができる。
【図面の簡単な説明】
【００１３】
【図１】本実施の形態の口腔内情報提供システムの構成の一例を示すブロック図である。
【図２】口腔内情報検出装置の機能の一例を示すブロック図である。
【図３】口腔内情報検出装置の口腔内装着部の構造の第１例を示す外観斜視図である。
【図４】咬合部における圧電素子の配置例を示す模式図である。
【図５】延設部における圧電素子の配置例を示す模式図である。
【図６】圧電素子が検出する検出データの一例を示す模式図である。
【図７】情報提供装置が提供する口腔内情報の第１例を示す模式図である。
【図８】情報提供装置が提供する口腔内情報の第２例を示す模式図である。
【図９】情報提供装置が提供する口腔内情報の第３例を示す模式図である。
【図１０】情報提供装置が提供する口腔内情報の第４例を示す模式図である。
【図１１】口腔内情報検出装置の口腔内装着部の構造の第２例を示す外観斜視図である。
【図１２】口腔内情報検出装置の口腔内装着部の構造の第３例を示す外観斜視図である。
【図１３】情報提供装置の処理手順の一例を示すフローチャートである。
【発明を実施するための形態】
【００１４】
以下、本発明の実施の形態を図面に基づいて説明する。図１は本実施の形態の口腔内情報提供システムの構成の一例を示すブロック図である。口腔内情報提供システムは、口腔内情報検出装置３０及び情報提供装置５０を備える。情報提供装置５０は、近距離無線通信を用いて口腔内情報検出装置３０と接続することができる。情報提供装置５０は、通信ネットワーク１を介してサーバ１００と接続することができる。口腔内情報検出装置３０は、ユーザが睡眠の際に口腔内に装着することができる。情報提供装置５０は、ユーザが携帯することができるスマートフォン、タブレット端末又はラップトップ型のパーソナルコンピュータでもよく、あるいはデスクトップ型のパーソナルコンピュータでもよい。情報提供装置５０及びサーバ１００の詳細は後述する。
【００１５】
図２は口腔内情報検出装置３０の機能の一例を示すブロック図である。図２に示すように、口腔内情報検出装置３０は、コントローラ１１、圧電素子１２、信号処理部１３、通信部１４、バッテリ１５を備える。コントローラ１１は、ＣＰＵ及びメモリなどを備え、口腔内情報検出装置３０の処理全体を制御する。情報提供装置５０が送信する起動信号によって、口腔内情報検出装置３０は動作を開始し、情報提供装置５０が送信する停止信号によって、口腔内情報検出装置３０は動作を停止することができる。
【００１６】
圧電素子１２は、後述のように口腔内装着部２０に設けられ、歯ぎしりによって発生する圧力を電気信号（例えば、電圧）に変換し、変換した電気信号を検出データとして信号処理部１３へ出力する。睡眠中の歯ぎしりには、上顎歯と下顎歯とをギリギリと横にすり合わせるグラインディングと、あまり音を立てず上顎歯と下顎歯とを強く噛みしめるクレンチング、及び両方が混在した混在状態がある。
【００１７】
信号処理部１３は、フィルタ回路、増幅回路、ＡＤ変換回路などを備える。信号処理部１３は、圧電素子１２から出力された電気信号からノイズを除去し、電気信号を所定レベルに増幅し、増幅した電気信号をデジタル信号に変換し、コントローラ１１の制御の下、変換したデジタル信号をメモリに一旦記録する。なお、デジタル信号を記録するメモリは、信号処理部１３内に設けてもよい。
【００１８】
通信部１４は、近距離無線通信機能を備え、送信部として機能する。すなわち、通信部１４は、メモリに記録されたデジタル信号を検出データとして、情報提供装置５０へ送信することができる。
【００１９】
バッテリ１５は、コントローラ１１、信号処理部１３、通信部１４に所要の電力を供給する。
【００２０】
図１に示すように、情報提供装置５０は、装置全体を制御する制御部５１、第１通信部５２、第２通信部５３、記憶部５４、表示パネル５５、操作部５６及び算出部５７を備える。
【００２１】
制御部５１は、ＣＰＵ、ＲＯＭ及びＲＡＭ等で構成することができる。制御部５１は、記憶部５４に記憶された口腔内情報提供アプリケーションに基づき、ユーザに対して口腔内情報を提供することができる。
【００２２】
記憶部５４は、例えばハードディスク又はフラッシュメモリ等の不揮発性メモリを用いる。記憶部５４には、口腔内情報検出装置３０が送信した検出データを記憶することができる。
【００２３】
第１通信部５２は、近距離無線通信機能を備え、取得部として機能する。すなわち、第１通信部５２は、口腔内情報検出装置３０の口腔内装着部２０に設けられた圧電素子１２が検出した検出データを取得することができる。また、第１通信部５２は、制御部５１の制御の下、口腔内情報検出装置３０に対して動作を開始するための起動信号、動作を停止するための停止信号を送信する。
【００２４】
第２通信部５３は、通信ネットワーク１を介してサーバ１００との通信機能を備える。
【００２５】
表示パネル５５は、液晶ディスプレイ、有機ＥＬ（Electro Luminescence）ディスプレイ等で構成することができる。
【００２６】
操作部５６は、例えば、タッチパネル等で構成され、表示パネル５５に表示されたアイコン等を操作することにより、ユーザの操作を受け付けることができる。操作部５６は、受け付けた操作を制御部５１へ出力する。なお、操作部５６は、マウス又はキーボードでもよい。操作部５６は、口腔内情報の提供要求の操作を受け付けることができる。
【００２７】
算出部５７は、第１通信部５２で取得した検出データに基づく圧力データを単位時間に亘って積算して歯に対するダメージ指標（負担指標ともいう）を算出する。単位時間は、例えば、２４時間（１日）としてもよく、睡眠時間（例えば、睡眠時間の平均値など）としてもよい。ダメージ指標は、圧力データを単位時間に亘って積算することにより算出できる。すなわち、ダメージ指標は単位時間の間の圧力データの積分値で求めることができる。これにより、単位時間当たりの歯に加わるダメージ（負担）を定量的に求めることができる。
【００２８】
ダメージ指標は、前述のように、単位時間に亘る圧力データを積算して算出してもよく、あるいは、予め圧力閾値を定めておき、単位時間内の圧力データのうち、当該圧力閾値以上の圧力データだけを抽出し、抽出した圧力データを積算してもよい。
【００２９】
また、予め１又は複数の圧力閾値を定めておく。例えば、第１圧力閾値及び第２圧力閾値（＞第１圧力閾値）を定めておく。圧力データが第１圧力閾値以下である場合、圧力データに乗算する重み係数をｋ１とし、圧力データが第１圧力閾値を超え、かつ第２圧力閾値以下である場合、圧力データに乗算する重み係数をｋ２とし、圧力データが第２圧力閾値を超える場合、圧力データに乗算する重み係数をｋ３とする。そして、単位時間内の圧力データが、第１圧力閾値及び第２圧力閾値と比較して、いずれの範囲内にあるかに応じて重み係数を選択して圧力データに乗算し、単位時間に亘って積載してダメージ指標してもよい。これにより、歯ぎしりによる圧力の大きさに軽重を付けて、歯に与えるダメージを一層的確に表すことができる。
【００３０】
サーバ１００は、サーバ全体を制御する制御部１０１、通信部１０２、データベース１０３を備える。サーバ１００は、ユーザ毎の口腔内情報を収集する機能を備える。制御部１０１は、ＣＰＵ、ＲＯＭ及びＲＡＭ等で構成することができる。
【００３１】
通信部１０２は、通信ネットワーク１を介して各口腔内情報検出装置３０との通信機能を備える。
【００３２】
データベース１０３は、各口腔内情報検出装置３０から取得したユーザの口腔内情報を記録することができる。
【００３３】
図３は口腔内情報検出装置３０の口腔内装着部２０の構造の第１例を示す外観斜視図である。口腔内装着部２０の材質は、マウスピースのように口腔内に装着するので毒性のない合成樹脂が用いられ、例えば、ポリエチレンテレフタレート（ＰＥＴ）、ポリオレフィン系エラストマー、エチレンビニルアセテート等の適切な硬度を有するものを用いることができる。また、シリコーン系ゴム材を用いてもよい。図２に例示した口腔内情報検出装置３０の各機能部品は、口腔内装着部２０の内部に埋め込まれている。
【００３４】
口腔内装着部２０は、上顎歯及び下顎歯によって噛み合わされる咬合部２１を有する。ユーザは、睡眠の際、咬合部２１を上顎歯及び下顎歯で噛み込むようにして口腔内装着部２０を口腔内に装着することできる。
【００３５】
図３の例では、咬合部２１は、歯列に沿って略Ｕ字状に形成してある。口腔内装着部２０は、複数の上顎歯又は複数の下顎歯を挟み込み、咬合部２１から延設された延設部２２ａ、２２ｂを有する。すなわち、延設部２２ａ、２２ｂは、咬合部２１の両側端部から延設され、複数の上顎歯を歯の外側（上唇側又は頬側）と内側（口蓋側又は舌側）とから挟み込むように形成されている。具体的には、延設部２２ａは、上顎歯を上唇側又は頬側から覆うように配置され、延設部２２ｂは、上顎歯を口蓋側又は舌側から覆うように配置される。また、延設部２２ａ、２２ｂは、咬合部２１の両側端部から延設され、複数の下顎歯を歯の外側（下唇側又は頬側）と内側（舌側）とから挟み込むように形成されていてもよい。延設部２２ａは、口腔内装着部２０を口腔内に装着した場合に、上唇小帯との干渉を防止するため凹部２３を形成してある。同様に、下唇小帯との干渉を防止するため凹部を形成してもよい。
【００３６】
図４は咬合部２１における圧電素子１２の配置例を示す模式図である。図４では、便宜上、延設部２２ａ、２２ｂを図示せずに、咬合部２１を口蓋側から見た平面視で図示している。また、実際には圧電素子１２は外側から見えないが便宜上図示している。
【００３７】
図４Ａに示すように、圧電素子１２は、歯列に沿って連続して咬合部２１に設けられている。すなわち、圧電素子１２を１枚の連続した、略Ｕ字状に形成し、略Ｕ字状に形成された咬合部２１の形状に合わせて配置することができる。これにより、上顎歯列と下顎歯列のうち、いずれかの歯で歯ぎしりが発生しても、歯ぎしり（特に、クレンチング）の発生を精度よく検出できる。また、圧電素子１２を用いることにより、歯ぎしりによって歯に加わる力を直接計測できるので、歯に与える負担を精度よく検出できる。
【００３８】
また、図４Ｂに示すように、圧電素子１２は、歯列に沿って複数離隔して咬合部２１に設けることもできる。すなわち、圧電素子１２を複数の小片に分けて、略Ｕ字状に形成し、略Ｕ字状に形成された咬合部２１の形状に合わせて適長離隔させて配置することができる。図４Ｂの例では、各大臼歯及び各小臼歯それぞれに対応する位置に圧電素子１２を分けて配置してある。これにより、上顎歯列と下顎歯列のうち、どの歯で歯ぎしりが発生しているかを特定することができ、いずれの歯で歯ぎしりが発生しているかを判定できる。また、歯ぎしり（特に、クレンチング）の発生を精度よく検出でき、歯に与える負担を精度よく検出できる。
【００３９】
また、図４Ｃに示すように、各大臼歯それぞれに対応する位置に圧電素子１２を分けて配置してもよい。これにより、特定の歯（例えば、大臼歯など）のうち、どの歯で歯ぎしりが発生しているかを特定することができ、いずれの歯で歯ぎしりが発生しているかを判定できる。また、歯ぎしり（特に、クレンチング）の発生を精度よく検出でき、歯に与える負担を精度よく検出できる。
【００４０】
また、図４Ｂ、図４Ｃのように、圧電素子１２を、所定の１又は複数の歯に対応する位置に設けることにより、歯ぎしりが発生している歯を精度よく特定できる。
【００４１】
図５は延設部２２ａにおける圧電素子１２の配置例を示す模式図である。図５では、便宜上、咬合部２１、延設部２２ｂを図示せずに、延設部２２ａを舌側から見た側面視で図示している。また、実際には圧電素子１２は外側から見えないが便宜上図示している。なお、延設部２２ｂについては、延設部２２ａと同様に圧電素子１２を配置してもよく、あるいは圧電素子１２を設けなくもよい。また、図示していないが、延設部２２ｂに図５のように圧電素子１２を配置し、延設部２２ａに圧電素子１２を設けない構成でもよい。
【００４２】
図５Ａに示すように、圧電素子１２は、歯列に沿って連続して延設部２２ａに設けられている。すなわち、圧電素子１２を１枚の連続した形状に形成し、延設部２２ａの形状に合わせて配置することができる。これにより、上顎歯列と下顎歯列のうち、いずれかの歯で歯ぎしりが発生しても、歯ぎしり（特に、グラインディング）の発生を精度よく検出できる。また、圧電素子１２を用いることにより、歯ぎしりによって歯に加わる力を直接計測できるので、歯に与える負担を精度よく検出できる。
【００４３】
また、図５Ｂに示すように、圧電素子１２は、歯列に沿って複数離隔して延設部２２ａに設けることもできる。すなわち、圧電素子１２を複数の小片に分けて、延設部２２ａの形状に合わせて適長離隔させて配置することができる。図５Ｂの例では、各大臼歯及び各小臼歯それぞれに対応する位置に圧電素子１２を分けて配置してある。これにより、上顎歯列と下顎歯列のうち、どの歯で歯ぎしりが発生しているかを特定することができ、いずれの歯で歯ぎしりが発生しているかを判定できる。また、歯ぎしり（特に、グラインディング）の発生を精度よく検出でき、歯に与える負担を精度よく検出できる。
【００４４】
また、図５Ｃに示すように、各大臼歯それぞれに対応する位置に圧電素子１２を分けて配置してもよい。これにより、特定の歯（例えば、大臼歯など）のうち、どの歯で歯ぎしりが発生しているかを特定することができ、いずれの歯で歯ぎしりが発生しているかを判定できる。また、歯ぎしり（特に、グラインディング）の発生を精度よく検出でき、歯に与える負担を精度よく検出できる。
【００４５】
また、図５Ｂ、図５Ｃのように、圧電素子１２を、所定の１又は複数の歯に対応する位置に設けることにより、歯ぎしりが発生している歯を精度よく特定できる。
【００４６】
図６は圧電素子１２が検出する検出データの一例を示す模式図である。図中、横軸は時間を示し、縦軸は圧力を示す。なお、縦軸は、圧電素子１２が出力する電気信号（電圧データ又は圧力データに相当）を示すことができる。図６の例は、ユーザの睡眠中における検出データを示し、符号Ｍ１〜Ｍ５で示すようなデータが得られたとする。特に、符号Ｍ２、Ｍ３、Ｍ５は比較的大きなデータとなっている。符号Ｍ２、Ｍ５で示すデータは、上顎歯と下顎歯とをギリギリと横にすり合わせるグラインディングと、あまり音を立てず上顎歯と下顎歯とを強く噛みしめるクレンチングとが混在した混在状態、あるいは特にグラインディングが強い場合に現れる傾向があると考えられる。また、符号Ｍ３で示すデータは、混在状態、あるいは特にクレンチングが強い場合に現れる傾向があると考えられる。圧電素子１２を用いることにより、歯ぎしりによって歯に加わる力を直接計測できるので、歯に与える負担を精度よく検出できる。なお、図６に示すデータは、便宜上模式的に示すものであり、実際のデータと異なる場合がある。
【００４７】
次に、情報提供装置５０が提供する口腔内情報について説明する。
【００４８】
情報提供装置５０は、口腔内情報検出装置３０が送信する検出データに基づいて口腔内情報を提供することができる。口腔内情報は、表示パネル５５に表示してもよく、情報提供装置５０から口腔内情報を他の表示装置へ送信し、当該表示装置で表示するようにしてもよい。また、口腔内情報を音声で出力するようにしてもよい。これにより、ユーサは睡眠中の歯ぎしりの発生の有無を確認することができる。また、歯ぎしりが確認された場合、ユーザは、歯ぎしりの発生を抑制するための対策を採るべく対応することができる。
【００４９】
具体的には、情報提供装置５０は、算出部５７で算出したダメージ指標を含む口腔内情報を提供することができる。これにより、ユーザは、歯に与える負担を精度よく確認できる。また、従来は、歯ぎしりが歯に与える悪影響やダメージは、実施に歯を診察しなければ分からなかったが、本実施の形態によれば、歯を診察することなく、歯に与える負担を精度よく確認できる。
【００５０】
図７は情報提供装置５０が提供する口腔内情報の第１例を示す模式図である。図中、横軸は期間を示す。期間は、例えば、１週間、１か月間、６か月間、１年間などとすることができる。縦軸はダメージ指標を示す。符号Ａ〜Ｃで示すグラフは、所要期間（例えば、１週間、１か月間、６か月間、１年間など）に亘る歯に対するダメージ指標の推移を示す推移情報である。所要期間が１週間の場合、１日毎のダメージ指標をプロットして推移情報とすることができる。また、所要期間が１か月の場合、１日毎のダメージ指標をプロットして推移情報とすることができる。また、所要期間が６か月の場合、１週間毎のダメージ指標をプロットして推移情報としてもよい。所要期間は、ダメージ指標を算出する際の単位時間より長ければよい。
【００５１】
これにより、所要期間に亘って、例えば、１日毎のダメージ指標がどのように推移するかを確認できる。例えば、符号Ａのように、ダメージ指標が増加傾向であれば、ユーザに必要な対策を採る動機付けを与えることができる。また、符号Ｂのように、ダメージ指標の変動が少ない場合、ユーザに安心感を与えることができる。また、符号Ｃのように、ダメージ指標が急に増加した場合には、ユーザは、急激な増加原因を探し、早急な対策を講じることができる。
【００５２】
図８は情報提供装置５０が提供する口腔内情報の第２例を示す模式図である。図中、横軸は日を示す。情報提供装置５０は、危険レベル及び安全レベルの少なくとも一方の基準と対比させて推移情報を提供することができる。図８の例では、推移情報は、１日毎のダメージ指標を日毎にプロットしたものである。また、図８では危険レベル及び安全レベルの両方を図示しているが、いずれか一方のみを図示してもよい。危険レベル及び安全レベルは、適宜決定することができる。例えば、危険レベルは、ダメージ指標が危険レベルを超える場合には、何らかの対策を採ることが望ましいレベルとすることができる。また、安全レベルは、ダメージ指標が安全レベルを超えない場合には、特に対策を採る必要がないレベルとすることができる。また、ダメージ指標が安全レベルと危険レベルとの間を推移する場合には、要観察と判定できる。図８の例では、ダメージ指標が安全レベル付近を推移しているので、ユーザは、特に対策を採る必要がないと判断できる。これにより、ユーザは、客観的に自身のダメージ指標の推移を判断できる。
【００５３】
図９は情報提供装置５０が提供する口腔内情報の第３例を示す模式図である。図９は図８と同様の推移情報を示す。図９の例では、ダメージ指標が時々危険レベルを超えているので、ユーザは何らかの対策を採ることが望ましいと判断できる。これにより、ユーザは、客観的に自身のダメージ指標の推移を判断できる。
【００５４】
図１０は情報提供装置５０が提供する口腔内情報の第４例を示す模式図である。情報提供装置５０は、年齢又は性別を含む属性に対応させて予め定めた基準と対比させてダメージ指標を提供することができる。基準は、例えば、年齢毎（例えば、１０代、２０代、…、６０代の如く）や性別で区分した基準とすることができる。図１０の例では、基準として年齢毎のダメージ指標の平均レベルが図示されている。例えば、符号Ｄで示すように、ユーザ自身の年齢に対する平均レベルとユーザ自身のダメージ指標とを対比させて表示した場合に、ユーザのダメージ指標が大きいときは、ユーザは自身のダメージ指標が同じ年齢の平均よりも大きく、自身の歯に負担がかかっていることが分かる。一方、符号Ｅで示すように、ユーザ自身の年齢に対する平均レベルとユーザ自身のダメージ指標とを対比させて表示した場合に、ユーザのダメージ指標が小さいときは、ユーザは自身のダメージ指標が同じ年齢の平均よりも小さく、自身の歯に負担がかかっていないことが分かる。このように、ユーザは、自身の年齢や性別に対応する基準と比べて自身のダメージ指標が大きいのか小さいのか、あるいは同程度なのかを判断できる。
【００５５】
図１１は口腔内情報検出装置３０の口腔内装着部２０の構造の第２例を示す外観斜視図である。図１１に示すように、口腔内装着部２０は、略Ｕ字状に形成された棒体２４を備える。棒体２４の材質は、例えば、ステンレス鋼又はチタンなどを用いることができるが、これらに限定されない。棒体２４は、口腔内に装着した場合、例えば、中切歯、側切歯、犬歯、小臼歯などに沿って配置される。棒体２４の両端それぞれに咬合部２１ａ、２１ａが固定されている。各咬合部２１ａは、口腔内に装着した場合、例えば、１又は複数の大臼歯によって噛み込まれる位置に配置されるが、これに限定されない。
【００５６】
図示していないが、圧電素子１２は、二つの咬合部２１ａの少なくとも一方に設けられている。これにより、大臼歯で発生する歯ぎしり（特に、クレンチング）を精度よく検出でき、歯に与える負担を精度よく検出できる。また、口腔内装着部２０が略Ｕ字状に形成された棒体２４を備えるので、口腔内装着部２０を口腔内に装着したときの圧迫感が緩和され、優れた装着感を実現できる。
【００５７】
また、延設部２２ｃ、２２ｄは、咬合部２１ａの両側端部から延設され、１若しくは複数の上顎歯を歯の外側（頬側）と内側（口蓋側又は舌側）とから挟み込むように形成されている。また、延設部２２ｃ、２２ｄは、咬合部２１ａの両側端部から延設され、１若しくは複数の下顎歯を歯の外側（頬側）と内側（舌側）とから挟み込むように形成されていてもよい。ここで、上顎歯及び下顎歯は、例えば、大臼歯である。
【００５８】
図示していないが、圧電素子１２は、二つの咬合部２１ａそれぞれから延設された延設部２２ｃ、２２ｄの少なくとも一方に設けることができる。これにより、大臼歯で発生する歯ぎしり（特に、グラインディング）を精度よく検出でき、歯に与える負担を精度よく検出できる。
【００５９】
図１２は口腔内情報検出装置３０の口腔内装着部２０の構造の第３例を示す外観斜視図である。図１１に例示した口腔内装着部２０との違いは、図１２の第３例では、延設部２２ｃ、２２ｄを具備せず、二つの咬合部２１ｂを備える点である。咬合部２１ｂの材質は、例えば、大臼歯のくぼみの形状に合わせて咬合部２１ｂを装着できるように、弾力性のある軟質樹脂やゴム系の樹脂を用いることができる。これにより、大臼歯で発生する歯ぎしり（特に、クレンチング）を精度よく検出でき、歯に与える負担を精度よく検出できる。また、口腔内装着部２０が略Ｕ字状に形成された棒体２４を備えるので、口腔内装着部２０を口腔内に装着したときの圧迫感が緩和され、優れた装着感を実現できる。
【００６０】
図１３は情報提供装置５０の処理手順の一例を示すフローチャートである。図１３に示す処理は、例えば、記憶部５４に記憶された口腔内情報提供アプリケーションを実行することにより実現できる。以下では、便宜上処理の主体を制御部５１として説明する。制御部５１は、測定開始タイミングであるか否かを判定する（Ｓ１１）。測定開始タイミングは、予めユーザが自身の就寝時刻に応じて設定しておくことができる。測定開始タイミングでない場合（Ｓ１１でＮＯ）、制御部５１は、ステップＳ１１の処理を続け、測定開始タイミングである場合（Ｓ１１でＹＥＳ）、口腔内情報検出装置３０を起動する（Ｓ１２）。
【００６１】
制御部５１は、圧電素子１２の検出データを取得する（Ｓ１３）。なお、取得した検出データは記憶部５４に記憶することができる。制御部５１は、測定終了タイミングであるか否かを判定する（Ｓ１４）。測定終了タイミングは、予めユーザが自身の起床時刻に応じて設定しておくことができる。測定終了タイミングでない場合（Ｓ１４でＮＯ）、制御部５１は、ステップＳ１４の処理を続け、測定終了タイミングである場合（Ｓ１４でＹＥＳ）、歯に対するダメージ指標を算出する（Ｓ１５）。
【００６２】
制御部５１は、算出したダメージ指標を、例えば、測定日時に対応させて記憶部５４に記憶する（Ｓ１６）。制御部５１は、口腔内情報の提供要求の操作の有無を判定し（Ｓ１７）、操作があった場合（Ｓ１７でＹＥＳ）、ダメージ指標を含む口腔内情報を提供し（Ｓ１８）、後述のステップＳ１９の処理を行う。
【００６３】
制御部５１は、口腔内情報の提供要求の操作がない場合（Ｓ１７でＮＯ）、処理を終了するか否かを判定し（Ｓ１９）、処理を終了しない場合（Ｓ１９でＮＯ）、ステップＳ１１以降の処理を続け、処理を終了する場合（Ｓ１９でＹＥＳ）、処理を終了する。
【００６４】
図１３に示す処理は、ＣＰＵ（プロセッサ）、ＲＯＭ、ＲＡＭ（メモリ）などを備えたコンピュータを用いて実現することもできる。例えば、記録媒体（例えば、ＣＤ−ＲＯＭ等の光学可読ディスク記憶媒体）に記録されたコンピュータプログラムを記録媒体読取部（例えば、光学ディスクドライブ）で読み取ってＲＡＭにロードし、コンピュータプログラムをＣＰＵ（プロセッサ）で実行することにより、コンピュータ上で制御部５１の処理を実現することができる。
【００６５】
本実施の形態に係る口腔内情報検出装置は、上顎歯及び下顎歯によって噛み合わされる咬合部を有する口腔内装着部と、前記口腔内装着部に設けられた圧電素子と、前記圧電素子が検出した検出データを外部に送信する送信部とを備える。
【００６６】
口腔内情報検出装置は、口腔内装着部、圧電素子及び送信部を備える。口腔内装着部は、上顎歯及び下顎歯によって噛み合わされる咬合部を有する。ユーザは、睡眠の際、咬合部を上顎歯及び下顎歯で噛み込むようにして口腔内装着部を口腔内に装着することできる。
【００６７】
圧電素子は、口腔内装着部、例えば、咬合部に設けられている。送信部は、圧電素子が検出した検出データを外部の装置へ送信することができる。なお、外部の装置との間は、例えば、近距離通信を用いることができる。
【００６８】
睡眠中の歯ぎしりには、上顎歯と下顎歯とをギリギリと横にすり合わせるグラインディングと、あまり音を立てず上顎歯と下顎歯とを強く噛みしめるクレンチング、及び両方が混在した混在状態がある。上述の構成により、歯ぎしり（特に、クレンチング）の発生を精度よく検出できる。また、圧電素子を用いることにより、歯ぎしりによって歯に加わる力を直接計測できるので、歯に与える負担を精度よく検出できる。
【００６９】
本実施の形態に係る口腔内情報検出装置において、前記咬合部は、歯列に沿って略Ｕ字状に形成してあり、前記圧電素子は、歯列に沿って連続して前記咬合部に設けられている。
【００７０】
咬合部は、歯列に沿って略Ｕ字状に形成してある。圧電素子は、歯列に沿って連続して咬合部に設けられている。これにより、上顎歯列と下顎歯列のうち、いずれかの歯で歯ぎしりが発生しても、歯ぎしり（特に、クレンチング）の発生を精度よく検出でき、歯に与える負担を精度よく検出できる。
【００７１】
本実施の形態に係る口腔内情報検出装置において、前記口腔内装着部は、複数の上顎歯又は複数の下顎歯を挟み込み、前記咬合部から延設された延設部を有し、前記圧電素子は、歯列に沿って連続して前記延設部に設けられている。
【００７２】
口腔内装着部は、複数の上顎歯又は複数の下顎歯を挟み込み、咬合部から延設された延設部を有する。すなわち、延設部は、咬合部の両側端部から延設され、複数の上顎歯を歯の外側（上唇側又は頬側）と内側（口蓋側又は舌側）とから挟み込むように形成されている。また、延設部は、咬合部の両側端部から延設され、複数の下顎歯を歯の外側（下唇側又は頬側）と内側（舌側）とから挟み込むように形成されていてもよい。
【００７３】
圧電素子は、歯列に沿って連続して延設部に設けられている。これにより、上顎歯列と下顎歯列のうち、いずれかの歯で歯ぎしりが発生しても、歯ぎしり（特に、グラインディング）の発生を精度よく検出できる。また、圧電素子を用いることにより、歯ぎしりによって歯に加わる力を直接計測できるので、歯に与える負担を精度よく検出できる。
【００７４】
本実施の形態に係る口腔内情報検出装置において、前記咬合部は、歯列に沿って略Ｕ字状に形成してあり、前記圧電素子は、歯列に沿って複数離隔して前記咬合部に設けられている。
【００７５】
咬合部は、歯列に沿って略Ｕ字状に形成してある。圧電素子は、歯列に沿って複数離隔して咬合部に設けられている。これにより、上顎歯列と下顎歯列のうち、どの歯で歯ぎしりが発生しているかを特定することができ、いずれの歯で歯ぎしりが発生しているかを判定できる。また、歯ぎしり（特に、クレンチング）の発生を精度よく検出でき、歯に与える負担を精度よく検出できる。
【００７６】
本実施の形態に係る口腔内情報検出装置において、前記口腔内装着部は、複数の上顎歯又は複数の下顎歯を挟み込み、前記咬合部から延設された延設部を有し、前記圧電素子は、歯列に沿って複数離隔して前記延設部に設けられている。
【００７７】
口腔内装着部は、複数の上顎歯又は複数の下顎歯を挟み込み、咬合部から延設された延設部を有する。すなわち、延設部は、咬合部の両側端部から延設され、複数の上顎歯を歯の外側（上唇側又は頬側）と内側（口蓋側又は舌側）とから挟み込むように形成されている。また、延設部は、咬合部の両側端部から延設され、複数の下顎歯を歯の外側（下唇側又は頬側）と内側（舌側）とから挟み込むように形成されていてもよい。
【００７８】
圧電素子は、歯列に沿って複数離隔して延設部に設けられている。これにより、上顎歯列と下顎歯列のうち、どの歯で歯ぎしりが発生しているかを特定することができ、いずれの歯で歯ぎしりが発生しているかを判定できる。また、歯ぎしり（特に、グラインディング）の発生を精度よく検出できる。また、圧電素子を用いることにより、歯ぎしりによって歯に加わる力を直接計測できるので、歯に与える負担を精度よく検出できる。
【００７９】
本実施の形態に係る口腔内情報検出装置において、前記圧電素子は、所定の１又は複数の歯に対応する位置に設けられている。
【００８０】
圧電素子は、所定の１又は複数の歯に対応する位置に設けられている。これにより、歯ぎしりが発生している歯を精度よく特定できる。
【００８１】
本実施の形態に係る口腔内情報検出装置において、前記口腔内装着部は、略Ｕ字状に形成された棒体を備え、前記圧電素子は、前記棒体の両端それぞれに固定された前記咬合部の少なくとも一方に設けられている。
【００８２】
口腔内装着部は、略Ｕ字状に形成された棒体を備える。棒体は、口腔内に装着した場合、例えば、中切歯、側切歯、犬歯、小臼歯などに沿って配置される。棒体の両端それぞれに咬合部が固定されている。咬合部は、口腔内に装着した場合、例えば、大臼歯によって噛み込まれる位置に配置される。
【００８３】
圧電素子は、二つの咬合部の少なくとも一方に設けられている。これにより、大臼歯で発生する歯ぎしり（特に、クレンチング）を精度よく検出でき、歯に与える負担を精度よく検出できる。また、口腔内装着部が略Ｕ字状に形成された棒体を備えるので、口腔内装着部を口腔内に装着したときの圧迫感が緩和され、優れた装着感を実現できる。
【００８４】
本実施の形態に係る口腔内情報検出装置は、１若しくは複数の上顎歯又は１若しくは複数の下顎歯を挟み込み、前記咬合部それぞれから延設された延設部を有し、前記圧電素子は、前記延設部の少なくとも一方に設けられている。
【００８５】
延設部は、咬合部の両側端部から延設され、１若しくは複数の上顎歯を歯の外側（頬側）と内側（口蓋側又は舌側）とから挟み込むように形成されている。また、延設部は、咬合部の両側端部から延設され、１若しくは複数の下顎歯を歯の外側（頬側）と内側（舌側）とから挟み込むように形成されていてもよい。ここで、上顎歯及び下顎歯は、例えば、大臼歯である。
【００８６】
圧電素子は、二つの咬合部それぞれから延設された延設部の少なくとも一方に設けられている。これにより、大臼歯で発生する歯ぎしり（特に、グラインディング）を精度よく検出でき、歯に与える負担を精度よく検出できる。
【００８７】
本実施の形態に係る口腔内情報提供システムは、前述の口腔内情報検出装置と、前記口腔内情報検出装置が送信する検出データに基づいて口腔内情報を提供する情報提供装置とを備える。
【００８８】
情報提供装置は、口腔内情報検出装置が送信する検出データに基づいて口腔内情報を提供する。これにより、歯ぎしりの発生の有無を確認することができる。また、歯ぎしりが確認された場合、歯ぎしりの発生を抑制するための対策を採るべく対応することができる。
【００８９】
本実施の形態に係る口腔内情報提供システムにおいて、前記情報提供装置は、歯に対する負担指標を含む口腔内情報を提供する。
【００９０】
情報提供装置は、歯に対する負担指標を含む口腔内情報を提供する。これにより、歯に与える負担を精度よく確認できる。
【００９１】
本実施の形態に係る口腔内情報提供システムにおいて、前記情報提供装置は、前記検出データに基づく圧力データを単位時間に亘って積算して歯に対する負担指標を算出する算出部を備える。
【００９２】
本実施の形態に係る情報提供装置は、口腔内情報検出装置の口腔内装着部に設けられた圧電素子が検出した検出データを取得する取得部と、前記取得部で取得した検出データに基づく圧力データを単位時間に亘って積算して歯に対する負担指標を算出する算出部と、前記算出部で算出した負担指標を含む口腔内情報を提供する提供部とを備える。
【００９３】
本実施の形態に係るコンピュータプログラムは、コンピュータに、口腔内情報検出装置の口腔内装着部に設けられた圧電素子が検出した検出データを取得する処理と、取得した検出データに基づく圧力データを単位時間に亘って積算して歯に対する負担指標を算出する処理と、算出した負担指標を含む口腔内情報を提供する処理とを実行させる。
【００９４】
本実施の形態に係る口腔内情報提供方法は、口腔内情報検出装置の口腔内装着部に設けられた圧電素子が検出した検出データを取得し、取得された検出データに基づく圧力データを単位時間に亘って積算して歯に対する負担指標を算出し、算出された負担指標を含む口腔内情報を提供する。
【００９５】
情報提供装置は、算出部を備える。算出部は、検出データに基づく圧力データを単位時間に亘って積算して歯に対する負担指標を算出する。単位時間は、例えば、２４時間（１日）としてもよく、睡眠時間（例えば、睡眠時間の平均値など）としてもよい。負担指標は、圧力データを単位時間に亘って積算することにより算出できる。すなわち、負担指標は単位時間の間の圧力データの積分値で求めることができる。これにより、単位時間当たりの歯に加わる負担（ダメージ）を定量的に求めることができる。
【００９６】
本実施の形態に係る口腔内情報提供システムにおいて、前記情報提供装置は、所要期間に亘る歯に対する負担指標の推移を示す推移情報を提供する。
【００９７】
情報提供装置は、所要期間に亘る歯に対する負担指標の推移を示す推移情報を提供する。所要期間は、例えば、１週間、１か月間、６か月間、１年間などとすることができる。これにより、所要期間に亘って、例えば、１日毎の負担指標がどのように推移するかを確認できる。例えば、負担指標が増加傾向であれば、ユーザに必要な対策を採る動機付けを与えることができる。
【００９８】
本実施の形態に係る口腔内情報提供システムにおいて、前記情報提供装置は、危険レベル及び安全レベルの少なくとも一方の基準と対比させて前記推移情報を提供する。
【００９９】
情報提供装置は、危険レベル及び安全レベルの少なくとも一方の基準と対比させて推移情報を提供する。危険レベル及び安全レベルは、適宜決定することができる。例えば、危険レベルは、負担指標が危険レベルを超える場合には、何らかの対策を採ることが望ましいレベルとすることができる。また、安全レベルは、負担指標が安全レベルを超えない場合には、特に対策を採る必要がないレベルとすることができる。また、負担指標が安全レベルと危険レベルとの間を推移する場合には、要観察と判定できる。これにより、ユーザは、客観的に自身の負担指標の推移を判断できる。
【０１００】
本実施の形態に係る口腔内情報提供システムにおいて、前記情報提供装置は、年齢又は性別を含む属性に対応させて予め定めた基準と対比させて歯に対する負担指標を提供する。
【０１０１】
情報提供装置は、年齢又は性別を含む属性に対応させて予め定めた基準と対比させて歯に対する負担指標を提供する。基準は、例えば、年齢毎（例えば、１０代、２０代、…、６０代の如く）や性別で区分した基準とすることができる。これにより、ユーザは、自身の年齢や性別に対応する基準と比べて自身の負担指標が大きいのか小さいのか、あるいは同程度なのかを判断できる。
【符号の説明】
【０１０２】
１１  コントローラ
１２  圧電素子
１３  信号処理部
１４  通信部
１５  バッテリ
２０  口腔内装着部
２１、２１ａ、２１ｂ  咬合部
２２ａ、２２ｂ、２２ｃ、２２ｄ  延設部
２３  凹部
２４  棒体
３０  口腔内情報検出装置
５０  情報提供装置
５１  制御部
５２  第１通信部
５３  第２通信部
５４  記憶部
５５  表示パネル
５６  操作部
５７  算出部
１００  サーバ
１０１  制御部
１０２  通信部
１０３  データベース
【図１】
2020199164.tif 000003
【図２】
2020199164.tif 000004
【図３】
2020199164.tif 000005
【図４】
2020199164.tif 000006
【図５】
2020199164.tif 000007
【図６】
2020199164.tif 000008
【図７】
2020199164.tif 000009
【図８】
2020199164.tif 000010
【図９】
2020199164.tif 000011
【図１０】
2020199164.tif 000012
【図１１】
2020199164.tif 000013
【図１２】
2020199164.tif 000014
【図１３】
2020199164.tif 000015